(57)【要約】【課題】飲料の冷却手段であるドライアイスの昇華ガスと白煙状凍結水粒子（冷却ガス）及びＬＥＤによる光で容器内部に色合いの変化する特徴ある状態を作り出すこと。【解決手段】円筒状周側部２及びその下部の底部構成部材３からなり、円筒状周側部２は冷却ガスの移動空間４をその間に構成する円筒状外側部２ａと円筒状内側部２ｂとからなる。円筒状外側部２ａの上部に冷却ガスの排気口２ａ１を、それ以外の部位に、移動空間４中の冷却ガスの動きを調節する複数の調節穴２ａ２を開口し、円筒状内側部２ｂに飲料収納部１内に膨出する複数の膨出部２ｂ１をランダムに形成し、底部構成部材３に、冷却ガスを移動空間４に送り出す出口部５ａ２及びこれに続くガス供給孔３ｅが開口している収納部５を形成し、底部構成部材３の周側部３ｂの上端に、移動空間４内にその光を放射すべく複数のＬＥＤを配置したグラスである。【選択図】  図３
2010188139.tif 000002
【特許請求の範囲】
【請求項１】
内側に飲料収納空間を備えた円筒状周側部及びその下部を閉じる着脱自在な底部構成部材からなるグラスであって、
前記円筒状周側部を、ドライアイスの昇華ガス及び白煙状凍結水粒子からなる冷却ガスの移動空間をその間に構成する上端で結合した円筒状外側部と円筒状内側部とにより構成し、
前記円筒状外側部の上部には外部に開口する冷却ガスの排気口を開口し、該円筒状外側部の上部以外の部位には、それらを指によって開閉することにより底部構成部材のドライアイスの収納部から前記円筒状内側部と該円筒状外側部との間の移動空間を立ち上る冷却ガスの移動状態を調節する複数の調節穴を開口し、
前記円筒状内側部には、該移動空間を立ち上る冷却ガスの移動に変化を加えるべく、飲料収納空間内に膨出する複数の膨出部をランダムに形成し、
前記底部構成部材には、ドライアイスを収納する前記収納部であって、その周側部の上部の一以上の位置から該ドライアイスの昇華ガス及び白煙状凍結水粒子からなる冷却ガスを前記円筒状周側部の移動空間に導入すべく案内する連通孔が開口してある収納部を形成し、
前記底部構成部材の周側部の上端に、前記円筒状周側部の移動空間内にその光を放射すべく複数のＬＥＤを配置してなるグラス。
【請求項２】
前記ＬＥＤとして、赤、青又は緑の光を放射するそれを各一個ずつ採用した請求項１のグラス。
【請求項３】
前記円筒状周側部の上部を下部より薄く構成した請求項１又は２のグラス。
【請求項４】
前記底部構成部材の収納部より下部に周側部に文字部を配した時計を組み込んだ請求項１、２又は３のグラス。
【請求項５】
前記ドライアイスを収納する収納部を、ドライアイスに加えて水を添加しうるようにした請求項１、２、３又は４のグラス。
【発明の詳細な説明】
【技術分野】
【０００１】
本発明は、収容した飲料類を継続して冷却しながら飲用することができるグラスに関する。
【背景技術】
【０００２】
それ自体に収容した飲料を冷却する機能を有するグラスは知られていない。グラス類を冷却又は加温する手段は知られている。
【０００３】
特許文献１は、グラスや瓶に入っている飲食物をそのまま保冷温する器の例であり、これは、耐水性及び耐熱性の高い素材でできた外容器の内側に、取り外しのできる、穴の開いた同素材の内容器を設置し、その間に氷水又は熱湯を入れ、ビン類・缶類・徳利・グラス・ジョッキ・湯飲み等に入った飲食物を長時間保冷温する器である。
【０００４】
従って、この飲食物を長時間保冷温する器は、言うまでもなく、グラスそのものに、その中の飲料を冷却する冷却する手段が施された構成のものではない。グラス等をその中に入れて冷却するための手段である。また、グラス等の冷却の際には、外容器と内容器の間に冷却剤として氷水を入れるものであるが、内容器には、穴が開いているので、氷水は、当然、内容器内にも入ってくる。それ故、冷却は、十分有効に行われ得ると思われるが、冷却のために内容器中に装入したグラス等の外面は底の進入している氷水で濡れてしまい、飲用のために取り出す際には、いちいち外面の水分を拭き取る必要があり、厄介でもある。
【０００５】
特許文献２は、コップ等の冷却用容器の例で、これは、上部開放かつ有底円筒形で、周側部及び底部を二重構造としてその内側に空洞部を形成し、該空洞部内に冷却用の液体を収納すべく構成したコップ等の冷却用容器である。
【０００６】
従ってこのコップ等の冷却用容器も、言うまでもなく、コップそれ自体に冷却手段を施したものではない。その内部に、要冷却対象の飲料を充填したコップを装入して、その冷却を図るための手段である。なお、このコップ等の冷却用容器中で、冷却対象のコップは、主として熱伝導を通じて熱が奪われ冷却されると考えられる。従ってコップが十分に冷却されるためには、その底部及び周側が該冷却用容器の内周に接している必要があるが、底部以外の部位を確実に接触させるのは容易なことではない。底部以外で冷却するのは容易ではないと思われる。
【０００７】
特許文献３は、照明型容器に関する例であり、飲料等を収容する少なくとも底部が光透過性を有する容器と、該容器をその上部に着脱自在に取り付けうるホルダー本体と、該ホルダー本体に配した、該容器内に光を導入させる導光体、該導光体に光を照射する光源及び該光源用の電源と、で構成した照明型容器である。
【０００８】
従ってこの照明型容器によれば、その容器に飲料を収容した上で、光源から光を放射させると、その光は導光体に入射し、これを通じて容器内に導かれ、該容器内の飲料を通じて外界に放射されることになる。即ち、その容器をおいてある領域、或いはその容器を持っている人の周囲を個別に照らすことになり、特別な雰囲気の照明を行うことが可能になるとされている。実際そのようになると思われるが、容器に収容された飲料の冷却等の機能は全く有しないものである。
【先行技術文献】
【特許文献】
【０００９】
【特許文献１】特開２００２―３９６５６号公報
【特許文献２】実開平０６―８４２７８号公報
【特許文献３】特開２００４−１０５２３１号公報
【発明の概要】
【発明が解決しようとする課題】
【００１０】
本発明は、以上の従来技術の問題点を解決し、その中に収容した飲料を希釈することなく適切に冷却することが可能であり、更に冷却手段としてドライアイスを用い、その昇華ガス及び該ドライアイスに接触して生じた白煙状凍結水粒子、並びにＬＥＤによる光を利用して容器周囲に色合い等の変化する特徴ある状態を作り出すことができるグラスを提供することを解決の課題とするものである。
【課題を解決するための手段】
【００１１】
本発明の１は、内側に飲料収納空間を備えた円筒状周側部及びその下部を閉じる着脱自在な底部構成部材からなるグラスであって、
前記円筒状周側部を、ドライアイスの昇華ガス及び白煙状凍結水粒子からなる冷却ガスの移動空間をその間に構成する上端で結合した円筒状外側部と円筒状内側部とにより構成し、
前記円筒状外側部の上部には外部に開口する冷却ガスの排気口を開口し、該円筒状外側部の上部以外の部位には、それらを指によって開閉することにより底部構成部材のドライアイスの収納部から前記円筒状内側部と該円筒状外側部との間の移動空間を立ち上る冷却ガスの移動状態を調節する複数の調節穴を開口し、
前記円筒状内側部には、該移動空間を立ち上る冷却ガスの移動に変化を加えるべく、飲料収納空間内に膨出する複数の膨出部をランダムに形成し、
前記底部構成部材には、ドライアイスを収納する前記収納部であって、その周側部の上部の一以上の位置から該ドライアイスの昇華ガス及び白煙状凍結水粒子からなる冷却ガスを前記円筒状周側部の移動空間に導入すべく案内する連通孔が開口してある収納部を形成し、
前記底部構成部材の周側部の上端に、前記円筒状周側部の移動空間内にその光を放射すべく複数のＬＥＤを配置してなるグラスである。
【００１２】
本発明の２は、本発明の１のグラスにおいて、前記ＬＥＤとして、赤、青又は緑の光を放射するそれを各一個ずつ採用したものである。
【００１３】
本発明の３は、本発明の１又は２のグラスにおいて、前記円筒状周側部の上部を下部より薄く構成したものである。
【００１４】
本発明の４は、本発明の１、２又は３のグラスにおいて、前記底部構成部材の収納部より下部に周側部に文字部を配した時計を組み込んだものである。
【００１５】
本発明の５は、本発明の１、２、３又は４のグラスにおいて、前記ドライアイスを収納する収納部を、ドライアイスに加えて水を添加しうるようにしたものである。
【発明の効果】
【００１６】
本発明の１のグラスによれば、その飲料収納空間に冷却して飲用するのが適当なジュース類等の飲料を収容して飲用することとすれば、該飲料収納空間中の飲料は、前記収納空間に収容したドライアイスにより底部から冷却され、更に、該収納部から上昇するドライアイスの昇華ガス及び白煙状凍結水粒子からなる冷却ガスが円筒状周側部の移動空間に導かれ、該移動空間を移動することになるので、該冷却ガスによっても冷却されることになる。
【００１７】
該移動空間を構成する円筒状外側部と円筒状内側部の内、円筒状内側部には、ランダムに該飲料収納空間内に膨出する膨出部が形成されている。そのため、上記飲料に対する冷却作用は、より良好に行われることになる。
【００１８】
従って飲料用収納空間内の飲料の冷却は適切に行われ、しかもこの冷却は、飲料中に投入する氷で冷却する場合のように、飲料の濃度等に影響を与えるようなものではないので、その風味に悪影響を与えることもない。
【００１９】
また、底部構成部材の収納部で発生したドライアイスの昇華ガス及び白煙状凍結水粒子からなる冷却ガスは、円筒状周側部の移動空間を上昇移動し、最終的には、該円筒状周側部の最上部の排気口から排気されることになるが、途中に開口された複数の調節穴があり、これらを指で、或いは掌等で、閉じたり、或いは開いたままで放置したりすることにより、該冷却ガスの動きをいろいろ調節し、その動きを楽しむことも可能である。さらには、前記したように、前記円筒状内側部には、飲料収納空間内に膨出する複数の膨出部をランダムに形成してあるので、該飲料収納空間内の飲料の冷却を効率化することができると共に、該円筒状周側部内の移動空間内を立ち上る冷却ガスの移動に変化を加える作用も果たし、その動きをより興味深いものにすることもできる。
【００２０】
このとき、底部構成部材の周側部の上端にＬＥＤが配してあり、このＬＥＤにより、これより上方の移動空間内を移動する前記冷却ガスに光が照射され、光の照射された部位の興味深い変化を観察することができる。前記したように、前記調節穴の開閉を種々に行ってみると、冷却ガスの動きを種々に変化させ得、光の照射される部位を変化させることにより、一層興味深い光の変化を見ることができる。前記のように、円筒状内側部にはランダムに膨出部が配されているため、その中に冷却ガスが移動することにより、冷却ガスの動きに一層の変化が与えられ、光の当たり具合にも更に変化を与えることができることになる。
【００２１】
本発明の２のグラスによれば、前記ＬＥＤとして、赤、青又は緑の光を放射するそれを各一個ずつ採用したため、白煙状凍結水粒子を含む冷却ガスは、それらのＬＥＤの光照射により、時には、個別にそれぞれ対応する部位が赤、青又は緑に染まった状態になり、時には、該白煙状凍結水粒子の動きに伴って、それらの色の全部又は一部が種々の割合で混じり合った状態になり、種々の微妙な色を呈する興味深い色合いの変化を味わうこともできることになる。
【００２２】
本発明の３のグラスによれば、円筒状周側部の上部を下部より薄くしたため、飲料を飲む際に飲みやすくなる利点を得ることができる。
【００２３】
本発明の４のグラスによれば、底部周側に、文字部を有する時計を組み込んだので、飲料を飲みながら、必要に応じて、時刻を確認することもできる。
【００２４】
本発明の５のグラスによれば、底部構成部材のドライアイスを収納する収納部に水を添加することを可能としたため、白煙状凍結水粒子が大量に発生し得、これを円筒状周側部の移動空間に導いた場合に、これらにＬＥＤの光が当たって一層美しい色合いを生じさせることができることになる。
【図面の簡単な説明】
【００２５】
【図１】実施例のグラスの正面図。
【図２】実施例のグラスの平面図。
【図３】図２のＡ−Ａ線断面図。
【図４】図１のＢ−Ｂ線断面図。
【図５】図１のＣ−Ｃ線断面図。
【図６】図１のＤ−Ｄ線断面図。
【図７】図１のＥ−Ｅ線断面図。
【図８】図１のＦ−Ｆ線断面図。
【図９】図３のＧ−Ｇ線断面図。
【図１０】図３のＨ−Ｈ線断面図。
【図１１】ドライアイス収納用の引出部（収納部）を引き出した状態の横断面平面図。
【発明を実施するための形態】
【００２６】
この実施例のグラスは、図１〜図３に示すように、基本的に、内側に飲料収納部（飲料収納空間）１を備えた円筒状周側部２とその下部を閉じる着脱自在な底部構成部材３とで構成したものである。
【００２７】
前記円筒状周側部２は、図１及び図３に示すように、上広がりテーパ状の円筒状外側部２ａ及びこれと同軸状かつ上広がりテーパ状の円筒状内側部２ｂとによる二重構造であり、両者の間に冷却ガスの移動空間４を備えたものである。
【００２８】
なお、該冷却ガスは、ドライアイスの昇華ガス及び白煙状凍結水粒子からなるそれを想定している。また白煙状凍結水粒子は、ドライアイスによって冷却された空気中の水分から生じた白煙状の凍結水粒子群、若しくはドライアイスに添加した水から生じた白煙状の凍結水粒子群を称している。該冷却ガスは、後述するように、底部構成部材３中の収納部５に収納したドライアイスから立ち上るそれである。
【００２９】
前記円筒状内側部２ｂの上端は、図１及び図３に示すように、その高さを、前記円筒状外側部２ａの上端より若干低く構成し、該円筒状内側部の上端の高さで相互を結合することにより、一方では、前記移動空間４の上端を、前記円筒状周側部２の上端より少し低い位置で閉じ、他方で、該円筒状周側部２の上端部の厚さを薄く構成したものである。
【００３０】
前記円筒状外側部２ａには、図１及び図３〜図６に示すように、前記移動空間４の最上部に対応させて円周方向に９０度の角度間隔で、冷却ガスを排出する四個の排気口２ａ１、２ａ１…を開口し、その直下から最下部の間には、該移動空間４内の冷却ガスの移動状態を調節するための複数の調節穴２ａ２、２ａ２…をランダムに開口してある。該移動空間４内の冷却ガスの移動状態、即ち、その流れの方向や速さ、若しくは白煙の濃淡等は、複数の調節穴２ａ２、２ａ２…を、適宜、指又は掌等で開閉することにより、途中のいずれかの調節穴２ａ２、２ａ２…からの放出を許容したり、しなかったりすることを通じて、調節するものである。なお、この実施例では、複数の調節穴２ａ２、２ａ２…をランダムに開口したが、意匠上の観点を除けば、規則的に開口することにしても不都合ではない。両手の指又は掌で開閉できる位置関係である必要はある。またこの実施例では、調節穴２ａ２、２ａ２…は円形穴に構成してあり、その径も全て同一であるが、穴形状も径もこれらに限定する必要はない。前記趣旨に合致し、指又は掌で開閉可能であれば不都合ではない。
【００３１】
該円筒状外側部２ａの外周中間部付近には、ストローの中間部を貫通させて支持するリング状支持部２ａ３が配してある。このリング状支持部２ａ３は、底部構成部材３に配した後述する下部受け部３ａで下部を支持されたストローの中間部を支持するものである。
【００３２】
前記円筒状内側部２ｂは、図１〜図６に示すように、その上端から下端の間に前記飲料収納部１中に膨らむ膨出部２ｂ１、２ｂ１…をランダムに構成し、かつ前記円筒状外側部２ａの下端より更に下方に突出する該円筒状内側部２ｂの最下部外周には、前記底部構成部材３の周側部３ｂの上部内周に形成した連結雌ねじ部３ｃと着脱自在に螺合する連結雄ねじ部２ｂ２を構成する。
【００３３】
前記膨出部２ｂ１、２ｂ１…は、前記のように、ランダムに配し、一つは、前記移動空間４内を立ち上り移動する冷却ガスの移動に、不規則な変化を加え得るようにする趣旨である。もう一つは、前記飲料収納部１中の飲料を効率的に冷却し得るようにする趣旨である。該各膨出部２ｂ１、２ｂ１…は、概ね、半球状又は半楕円球状等に前記飲料収納部１中に膨出させるものであり、図１、図３、図５及び図６に示すように、該移動空間４中から見ると、半球状又は半楕円球状の凹部を形成するものである。
【００３４】
前記移動空間４は、前記し、図１、図３〜図７に示すように、前記円筒状外側部２ａと前記円筒状内側部２ｂとの間のほぼ円筒状の空間であり、最上部は、前記のように、該円筒状外側部２ａの上部途中と該円筒状内側部２ｂの上端との結合部で区画され、下端は、円筒状周側部２を、後述するように、底部構成部材３と結合した状態で、該底部構成部材３の周側部３ｂの上端で区画された構成である。後述するように、該移動空間４の最下部は、該底部構成部材３に構成した収納部５と連通しており、そこから冷却ガスが導入されるようになっている。
【００３５】
前記底部構成部材３は、図１、図３及び図８〜図１１に示すように、基本的に、円筒状周側部２と結合した状態で、その飲料収納部１の下部を閉じるほぼ円形の底部３ｄと、その周囲及びその下方周囲を区画する前記周側部３ｂと、該底部３ｄの直下に構成するドライアイス収納用の前記収納部５と、更にその下方に構成した時計部６と、該周側部３ｂの上端に配したＬＥＤ７ａ、７ｂ、７ｃと、該周側部３ｂの外側に構成した下部受け部３ａとで構成したものである。
【００３６】
該周側部３ｂの上部内周、即ち、該周側部３ｂの前記底部３ｄの周縁部から立ち上がる部分の内周には、前記し、図１、図３及び図９に示すように、前記連結雌ねじ部３ｃが形成してあり、前記したように、これに、前記円筒状内側部２ｂの最下部外周に形成した連結雄ねじ部２ｂ２が着脱自在に螺合するようになっている。
【００３７】
前記底部３ｄの周縁部には、図１及び図３に示すように、以上のように、円筒状内側部２ｂの連結雄ねじ部２ｂ２を該連結雌ねじ部３ｃに螺合した際に、該円筒状内側部２ｂの下端との間の水密性を確保すべく、パッキン部材８を配しておく。このパッキン部材８は食品に悪影響を与えない部材で構成する。この実施例では、ポリエチレン製の環状薄板部材を採用した。
【００３８】
前記収納部５は、図１及び図３に示すように、前記底部構成部材３の底部３ｄの直下に構成するドライアイスを収納する空間であり、この実施例では、図１、図３、図１０及び図１１に示すように、ドライアイス収納用の引出部５ａと、該引出部５ａを出し入れする引出収納空間５ｂとで構成する。該引出部５ａの正面側の周側壁には、特に図１及び図３に示すように、該引出部５ａを引出収納空間５ｂから引き出す際に指の爪を掛ける爪係止穴５ａ１を形成しておく。
【００３９】
該引出収納空間５ｂの最外面側底面には、図１、図３及び図１１に示すように、収納状態の引出部５ａが無用に抜け出すことがないように抜け止め５ｂ１を配しておく。この抜け止め５ｂ１は、合成ゴムで構成した薄い板状部材であり、該引出収納空間５ｂの最外面側底面に埋め込み状態に配し、これと該引出部５ａの底面との間に生じる摩擦力により、該引出部５ａの抜け止めを図る。
【００４０】
また該引出部５ａは、その内部空間がドライアイスの収納空間となるが、この引出部５ａは、水密性に構成してあるため、収納空間は必要に応じてドライアイスに加えて若干の水を収納し、前記したように凍結水粒子による白煙を発生し易くすることができる。
該引出部５ａの周側壁の上端には、図１、図３、図１０及び図１１に示すように、冷却ガス（ドライアイスの昇華ガス及び白煙状凍結水粒子）を前記円筒状周側部２の移動空間４に送り出すための複数の出口部５ａ２、５ａ２…を形成しておく。この実施例では、特に図１０及び図１１に示すように、周方向６０度の角度間隔で６箇所に出口部５ａ２、５ａ２…を開口した。この出口部５ａ２、５ａ２…は、この引出部５ａの周側壁の厚みとの関係で、前部側の二つのみが全体の大きさを持ち、他の四個は、一部の大きさしか持たないものとなっている。他の四個については、同図に示すように、底部構成部材３の周側部３ｂ側の対応する部位に、対応する寸法形状の開口部を構成し、それとの組み合わせで全体の出口部構成を完成させるようになっている。
【００４１】
これらの出口部５ａ２、５ａ２…は、図７〜図９に示すように、前記引出部５ａを引出収納空間５ｂに収納した状態で、各々前記底部構成部材３の周側部３ｂに形成したガス供給孔３ｅ、３ｅ…と連通するようになっている。該出口部５ａ２、５ａ２…と該ガス供給孔３ｅ、３ｅ…とは、一体となって引出部５ａ中で発生したドライアイスの昇華ガス及び白煙状凍結水粒子からなる冷却ガスを前記円筒状周側部２の移動空間４に送り出すための連通孔を構成するものである。
【００４２】
該ガス供給孔３ｅ、３ｅ…は、以上に述べたように、云うまでもなく、底部構成部材３の周側部３ｂの上部中に、周方向６０度の角度間隔で、かつ前記引出部５ａの周側壁の上端に形成した出口部５ａ２、５ａ２…に対応する位置関係で、開口形成してあるものである。上端は、図７に示すように、底部構成部材３の周側部３ｂの上端に開口しており、前記円筒状周側部２の移動空間４に最下部で連通するようになっている。
なお、該ガス供給孔３ｅ、３ｅ…は、前記移動空間４への接続部では、図８に示すように、ほぼ四辺形になっているが、最下部の前記出口部５ａ２、５ａ２…との接続部では半円形状になっており、上部に向かって徐々に四辺形になるようになっている。また該ガス供給孔３ｅ、３ｅ…は、最下部は該出口部５ａ２、５ａ２…の直上に位置し、上部に向かうに従って徐々に外側に向かう、斜めに立ち上がる穴に構成してある。
なおまた出口部５ａ２、５ａ２…及びガス供給孔３ｅ、３ｅ…は、引出部５ａから移動空間４に冷却ガスを適切に供給できる構成であれば、これらの構成に限定されないことは云うまでもない。
【００４３】
前記ＬＥＤ７ａ、７ｂ、７ｃは、前記し、図７に示すように、底部構成部材３の周側部３ｂの上端に相互に周方向１２０度の角度間隔で配したものである。前記ガス供給孔３ｅ、３ｅ…の内の該当する二つのそれらの中間部に配する位置関係で、当然、上方に光を照射できるように配してある。この実施例では、該ＬＥＤ７ａ、７ｂ、７ｃは、光の三原色に対応する赤色発光タイプ、青色発光タイプ、緑色発光タイプの三種を採用した。電源は、ドライアイスの収納部５の下方に位置する前記時計部６の側方に図示しない電池を配し、該電池から供給する。これらのＬＥＤ７ａ、７ｂ、７ｃには、点滅駆動等の発光駆動回路を付設することも可能であるが、この実施例では、継続点灯駆動回路を採用した。なお、前記電池は、前記引出収納空間５ｂの下面を構成する蓋体５ｂ２を外して交換できるようにしてある。なお、該ＬＥＤ７ａ、７ｂ、７は、ドライアイスを収納した引出部５ａを該引出収納空間５ｂに押し込むと電源オンとなって点灯を開始するように構成してある。
【００４４】
前記ＬＥＤ７ａ、７ｂ、７ｃを設置した底部構成部材３の周側部３ｂの上端面には、これらのＬＥＤ７ａ、７ｂ、７ｃを配した部位及び前記ガス供給孔３ｅ、３ｅ…の開口する部位を除いて、薄膜状の鏡面部３ｂ１を配する。該ＬＥＤ７ａ、７ｂ、７ｃから放射され、移動空間４内の白煙状の凍結水粒子から乱反射された光を更に該移動空間４中に反射させるようにする趣旨である。
【００４５】
前記時計部６は、前記し、図１及び図２に示すように、前記収納部５の直下の空間にその電子回路部６ａを配し、底部構成部材３の周側部３ｂの正面側の部位に文字部６ｂを表示するように配したものである。なお、該電子回路部６ａの側方には図示しない時計駆動用の電池及び前記ＬＥＤ７ａ、７ｂ、７ｃ駆動用の電池が配してある。前記のように、ドライアイスの収納部５を構成する引出収納空間５ｂの下面には、前記蓋体５ｂ２が配してあり、該蓋体５ｂ２が該引出収納空間５ｂの下面を構成すると共に、時計部６の電子回路部６ａ、その駆動用電池及びＬＥＤ駆動用電池を収納する空間の上面を構成している。該蓋体５ｂ２は、ドライアイスの冷却作用によって電池の動作を妨げることがないように断熱材で構成してある。
【００４６】
該蓋体５ｂ２には、図１１に示すように、その中央付近に爪係止部５ｂ３が構成してあり、引出部５ａを引き出した上で、該爪係止部５ｂ３に爪を係止して引き上げることにより、該蓋体５ｂ２を取り外し、その下方の時計６の電池等を収納した空間を開くことが可能である。電池の交換等はこうして行うことができる。
【００４７】
前記下部受け部３ａは、図１、図３、図９〜１１に示すように、底部構成部材３の周側部３ｂの外側に構成したストローの下部受け用の受け部であり、上方の円筒状周側部２の外周、即ち、円筒状外側部２ａの外周に固設したストローの中間部挿入支持用のリング状支持部２ａ３と上下対応する位置関係になるように配置してある。
【００４８】
従ってこの実施例のグラスによれば、その円筒状周側部２の飲料収納部１中に飲料を充填し、その飲用のために好適に使用することができる。このとき、該飲料収納部１への飲料の充填に前後して、該円筒状周側部２の下部に結合した底部構成部材３の収納部５にドライアイスを収納する。このドライアイスの収納は、前記したように、外部に引き出してある引出部５ａ中にドライアイスを入れた上で、該収納部５を構成する引出収納空間５ｂに該引出部５ａを装入することにより行う。前記したように、このように引出部５ａを引出収納空間５ｂに装入すると、前記ＬＥＤ７ａ、７ｂ、７ｃの電源スイッチもオンとなり、該ＬＥＤ７ａ、７ｂ、７ｃの発光動作も開始することになる。
【００４９】
なお、引出部５ａにドライアイスを充填する際には、白煙を多量に出したい場合は、ドライアイスに若干の水を添加する。
【００５０】
ストローを使用する場合は、前記円筒状周側部２の外面側である円筒状外側部２ａに固設したリング状支持部２ａ３にその途中を挿入し、下端を前記底部構成部材３の周側部３ｂの外側に構成した下部受け部３ａで支持させておくものとする。
【００５１】
以上のようにして、この実施例のグラスは飲用者に提供することができる。
【００５２】
このグラスでは、前記収納部５の引出部５ａからドライアイスの昇華ガス及び空気中の水分又はドライアイスと共に収納した水が急速冷却されて生じた白煙状凍結水粒子の混合物である冷却ガスが立ち上り、その出口部５ａ２、５ａ２…及びガス供給孔３ｅ、３ｅ…を通じて前記円筒状周側部２の移動空間４に送り出される。飲料収納部１に充填されている飲料は、ドライアイスにより下部の底部３ｄから冷却されることに加えて、該移動空間４を上昇移動する冷却ガスによっても冷却されることになる。
【００５３】
これらの冷却は、飲料中に氷を入れて冷やすような手段ではないので、飲料の濃度に変化を与える問題がない。それ故、飲料の風味に影響を与えない利点がある。
【００５４】
該移動空間４に送り出された冷却ガスは、円筒状外側部２ａにランダムに開口してある調節穴２ａ２、２ａ２…が指又は掌によって閉塞されている場合には、途中の膨出部２ｂ１、２ｂ１…に近接する位置では、その中に進入したり、戻ったりしながら、該移動空間４の最上部まで上昇し、円筒状外側部２ａの上部に開口してある四個の排気口２ａ１、２ａ１…に分かれて排気されることになる。冷却ガスは、以上のように、その流れの通過する位置又はその移動状態により、円筒状内側部２ｂに形成してある膨出部２ｂ１、２ｂ１…に出入りすることがあるが、その場合には、該膨出部２ｂ１、２ｂ１…は、飲料収納部１中に膨出状態となっているため、該飲料収納部１中の飲料に対する冷却効果を更に高めることができる。またこのように該膨出部２ｂ１、２ｂ１…中への冷却ガスの出入りが生じることにより、単にストレートに移動空間４内を上昇する場合とは異なる流れが生じることになる。
【００５５】
冷却ガスは、ドライアイスの昇華ガスのみではなく、既述のように、白煙状凍結水粒子を含むものであるため、その流れ及び流れの変化が視覚的に認識可能である。このグラスは、特にそうでないことを明示した部位以外は、文字通りガラスで構成され、透明であるため、その冷却ガスの興味深い流れ又は動き、及びその流れ又は動きの変化を外部から認識することができる。
【００５６】
この冷却ガスには、前記底部構成部材３の周側部３ｂの上端に配したＬＥＤ７ａ、７ｂ、７ｃから赤色、青色及び緑色の光が照射され、それによって該冷却ガスの白煙状凍結水粒子がその濃淡等に応じて着色され、かつそれが揺れ動き、興味深い色合いを楽しむことができる。またＬＥＤ７ａ、７ｂ、７ｃの赤色、青色及び緑色の光は、上方に行くに従って相互に混じり合い、横方向の色相の変化も生じる。またこれも冷却ガスの動きに伴って揺れ動くことになる。
【００５７】
該移動空間４に送り出された冷却ガスは、円筒状外側部２ａに開口している調節穴２ａ２、２ａ２…の全部又は一部が、指又は掌によって閉塞されずに、開いている場合には、その近くを上昇する該冷却ガスの一部がそこから排気されることになる。これによってその近くの冷却ガスの流れに変化が生じ、更にその変化がその近くの冷却ガスの流れに影響を与える。こうして複雑かつ予測の付きにくい流れの変化が生じ、これが白煙状凍結水粒子の微妙な流れ、動き又はその変化として認識される。更にその変化は、ＬＥＤ７ａ、７ｂ、７ｃによって付与される色合いを微妙に変化させ、極めて興味深い色彩及びその変化を見せることになる。種々の位置の調節穴２ａ２、２ａ２…の開閉を行うことにより、冷却ガスの種々の流れを生じさせ、かつその急速な変化や緩やかな変化を楽しむこともできる。
【００５８】
なお、該ＬＥＤ７ａ、７ｂ、７ｃを配した底部構成部材３の周側部３ｂの上端面には、薄膜状の鏡面部３ｂ１が配してあるため、冷却ガスの白煙状凍結水粒子で反射して戻ってくる光を、該鏡面部３ｂ１で、再反射して上方の白煙状凍結水粒子側に再放射し、これによって光量を保持できるようになっている。
【００５９】
なお、円筒状周側部２の飲料収納部１中の飲料は、該円筒状周側部２の上部を薄く構成してあるので、飲み易くなっている。
【００６０】
また収納部５中のドライアイスが無くなった場合は、引出部５ａを引き出して、再度ドライアイスを充填することが容易にできる。
【００６１】
ストローを使用するときは、前記リング状支持部２ａ３及び下部受け部３ａで支持させてあるそれを抜き取って使用すればよいし、不要になれば、同様に、該リング状支持部２ａ３及び下部受け部３ａにまた支持させておけばよい。そのため飲用の邪魔になることもない。
【００６２】
途中で時刻を知りたくなった場合は、下部に配してある時計部６の文字部を見ることでそれを知ることができる。
【００６３】
飲用に使用した後には、円筒状周側部２と底部構成部材３とは、前者の円筒状内側部２ｂの連結雄ねじ部２ｂ２と後者の連結雌ねじ部３ｃとの螺合を解くことにより、容易に分離することができる。こうして、移動空間４内が汚れた場合等には容易に洗浄することができる。また前記引出部５ａを引出収納空間５ｂから抜き取っておけば、前記ＬＥＤ７ａ、７ｂ、７ｃの電源スイッチはオフになり、該ＬＥＤ７ａ、７ｂ、７ｃの発光動作を停止させておくことができる。
【産業上の利用可能性】
【００６４】
本発明は、グラスの製造の分野で利用可能である。
【符号の説明】
【００６５】
１    飲料収納部（飲料収納空間）
２    円筒状周側部
２ａ  円筒状外側部
２ａ１  排気口
２ａ２  調節穴
２ａ３  リング状支持部
２ｂ  円筒状内側部
２ｂ１  膨出部
２ｂ２  円筒状内側部の連結雄ねじ部
３    底部構成部材
３ａ  下部受け部
３ｂ  底部構成部材の周側部
３ｂ１  底部構成部材の周側部の上面に配した鏡面部
３ｃ  底部構成部材の周側部の連結雌ねじ部
３ｄ  底部
３ｅ  ガス供給孔
４    移動空間
５    収納部
５ａ  引出部
５ａ１  爪係止穴
５ａ２  出口部
５ｂ  引出収納空間
５ｂ１  抜け止め
５ｂ２  引出収納空間の下面を構成する蓋体
５ｂ３  蓋体の爪係止部
６    時計部
６ａ  電子回路部
６ｂ  文字部
７ａ、７ｂ、７ｃ  ＬＥＤ
８    パッキン部材
【図１】
2010188139.tif 000003
【図２】
2010188139.tif 000004
【図３】
2010188139.tif 000005
【図４】
2010188139.tif 000006
【図５】
2010188139.tif 000007
【図６】
2010188139.tif 000008
【図７】
2010188139.tif 000009
【図８】
2010188139.tif 000010
【図９】
2010188139.tif 000011
【図１０】
2010188139.tif 000012
【図１１】
2010188139.tif 000013